(57)【要約】【課題】ワイヤーを規制要素とするあおり止め具において、ドア開放時にワイヤが折り曲げられて傷付くのを解消する。【解決手段】ドア１にワイヤー７の一端を固定する。ドア枠にボールチャック６と屈曲緩和具８とをそれぞれ固定する。屈曲緩和具８は密巻のコイルばねで構成する。ワイヤー７の自由端は、屈曲緩和具８に挿通したのちボールチャック６に差し込み連結して、ワイヤー７の屈曲部分を屈曲緩和具８で支持する。ドア１を開放すると、屈曲緩和具８がたわんでワイヤー７の屈曲力に対抗するので、ワイヤー７の折れ曲がりが緩和され、なめらかに湾曲する。【選択図】図１
2005344385.tif 000002
【特許請求の範囲】
【請求項１】
ドア１の限界開量をワイヤー７で規定するあおり止め具であって、
ワイヤー７の一端に固定したエンド金具１０を固定保持するブラケット４と、ワイヤー７の自由端が差し込み連結されるボールチャック６と、ボールチャック６を支持するホルダー５とを備えており、
ドア１とドア枠２とのいずれか一方にはブラケット４が、他方にはホルダー５がそれぞれ固定されており、
ブラケット４と対向する側のボールチャック６のケース端に、ワイヤー７の折れ曲がりを緩和する屈曲緩和具８が固定されていることを特徴とするあおり止め具。
【請求項２】
屈曲緩和具８が、密巻状のコイルばねで形成されており、
屈曲緩和具８の一端が、ボールチャック６のケース２１の内面に形成したねじ穴２７にねじ込み固定されている請求項１記載のあおり止め具
【請求項３】
ボールチャック６のケース２１の内面に形成したねじ穴２７と、ホルダー５に形成したねじ穴１７とが、同じ直径、同じねじピッチに設定されており、
ホルダー５に形成したねじ穴１７に屈曲緩和具８の中途部をねじ込むことにより、ボールチャック６がホルダー５に装着されている請求項２記載のあおり止め具。
【請求項４】
屈曲緩和具８の一側には、ケース内面に形成したねじ穴２７と、ホルダー５に形成したねじ穴１７にねじ込まれるねじ軸部３３とが形成されており、
残るコイル部分が、ねじ軸部３３の巻き径より小さな小径部３４で形成されている請求項２または３記載のあおり止め具。
【請求項５】
ボールチャック６が、内面にテーパー壁２０が形成されたケース２１と、ケース２１内に挿嵌されて複数個のボール２２を保持するボールホルダー２３と、ボールホルダー２３をテーパー壁２０に向かって押し付け操作するばね２４と、ケース２１に装着固定されるばね受２６とを含み、
ボールホルダー２３と一体に設けたクランプ解除用の操作軸２８が、ばね受２６の側からケース外に突出している請求項１記載のあおり止め具。
【請求項６】
ブラケット４の板面にワイヤー挿通穴１１を有し、ワイヤー挿通穴１１まわりにベルマウス状の逃げ部１２が形成されている請求項１記載のあおり止め具。
【発明の詳細な説明】
【技術分野】
【０００１】
本発明は、揺動開閉可能なドアや窓に適用されるあおり止め具、なかでもワイヤを規制要素とするあおり止め具に関する。
【背景技術】
【０００２】
ワイヤを規制要素とするあおり止め具は特許文献１に公知である。そこでは、ワイヤの一端をボールチャックと取付金具とを介してドア枠に固定し、ワイヤの他端をドアに固定している。取付金具は、平面から見て横長コ字状に形成してあり、一方の腕にボールチャックがねじ込み固定される。他方の腕にはガイド孔を通設してあり、ドア側からガイド孔に通したワイヤの端をボールチャックに差し込み連結している。
【０００３】
【特許文献１】特許第３５０９６５０号公報（段落番号０００７、図１）
【発明の開示】
【発明が解決しようとする課題】
【０００４】
上記のあおり止め具は、ボールチャックに対するワイヤの差し込み量を加減することにより、ドアの限界開量を自由に変更できる。しかし、ドアを開放した状態において、取付金具のガイド孔の開口縁でワイヤがく字状に折れ曲がるため、ドアが風にあおられてがた付くような場合に、ワイヤが反復屈曲されて傷みやすく、短期間で切断しやすい。開きかけたドアが、風にあおられて全開位置まで急に開放揺動するとき、先の折れ曲がり部分に応力が集中するので、ワイヤが損傷しやすい。切断したワイヤは長さが不足するので、新規ワイヤと交換する以外になく、その交換に手間とコストが掛かる。
【０００５】
本発明の目的は、ドア開放時のワイヤの折れ曲がりを緩和して、ワイヤを規制要素とするあおり止め具の耐久性を向上することにある。本発明の目的は、開きかけたドアが風にあおられて全開位置まで急に開放揺動する場合や、ドアが風にあおられてがた付くような場合に、ワイヤに作用する衝撃力や曲げ外力を緩和吸収して、ワイヤの損傷を解消できるあおり止め具を提供することにある。
【課題を解決するための手段】
【０００６】
本発明のあおり止め具は、ドア１の限界開量をワイヤー７で規定するあおり止め具において、ワイヤー７の一端に固定したエンド金具１０を固定保持するブラケット４と、ワイヤー７の自由端が差し込み連結されるボールチャック６と、ボールチャック６を支持するホルダー５とを備えている。ドア１とドア枠２とのいずれか一方にはブラケット４を、他方にはホルダー５をそれぞれ固定する。ブラケット４と対向する側のボールチャック６のケース端には、ワイヤー７の折れ曲がりを緩和する屈曲緩和具８が固定されていることを特徴とする。
【０００７】
具体的には、屈曲緩和具８が密巻状のコイルばねで形成されており、屈曲緩和具８の一端が、ボールチャック６のケース２１の内面に形成したねじ穴２７にねじ込み固定されている。
【０００８】
その際、ボールチャック６のケース２１の内面に形成したねじ穴２７と、ホルダー５に形成したねじ穴１７とは、同じ直径、同じねじピッチに設定する。そして、ホルダー５に形成したねじ穴１７に、ケース２１にねじ込んだ屈曲緩和具８の中途部をねじ込むことにより、ボールチャック６がホルダー５に装着されている。
【０００９】
屈曲緩和具８の一側には、ケース内面に形成したねじ穴２７と、ホルダー５に形成したねじ穴１７にねじ込まれるねじ軸部３３とが形成されており、残るコイル部分が、ねじ軸部３３の巻き径より小さな小径部３４で形成されている。
【００１０】
ボールチャック６は、内面にテーパー壁２０が形成されたケース２１と、ケース２１内に挿嵌されて複数個のボール２２を保持するボールホルダー２３と、ボールホルダー２３をテーパー壁２０に向かって押し付け操作するばね２４と、ケース２１に装着固定されるばね受２６とを含み、ボールホルダー２３と一体に設けたクランプ解除用の操作軸２８が、ばね受２６側からケース外に突出している。
【００１１】
ブラケット４の板面にはワイヤー挿通穴１１を開口し、ワイヤー挿通穴１１まわりにベルマウス状の逃げ部１２が形成されている。
【発明の効果】
【００１２】
本発明においては、ブラケット４と対向する側のボールチャック６のケース端に、ワイヤー７の折れ曲がりを緩和する屈曲緩和具８を配置して、ケース２１の端部外面に位置するワイヤー７の屈曲部分を屈曲緩和具８で支持できるようにした。ワイヤー７が屈曲する部分では、屈曲緩和具８は弾性変形して、その変形応力によってワイヤー７の屈曲力に対抗する。そのため、ワイヤー７は、屈曲緩和具８から受ける反発力の分だけ屈曲部分の角度が緩やかになり、しかも屈曲緩和具８の変形形状に沿って湾曲状に屈曲する。その結果、ワイヤー７が急な角度でく字状に折れ曲がるのを解消し、あおり止め具の耐久性が向上する。
【００１３】
屈曲緩和具８が密巻状のコイルばねで形成されていると、隣接するばね線材どうしが密着しているため、屈曲部分の内側においてばね線材どうしが収縮し接近する余地がなく、その分だけ屈曲緩和具８これ自体の屈曲応力が大きくなる（このことは、ばね線材の間に隙間があるコイルばねが屈曲する場合を想定すると理解しやすい）。したがって、より大きな反発力をワイヤー７の屈曲部分に作用させて、さらに効果的にワイヤー７の折れ曲がりを解消できる。ワイヤー７の緊張力が開放されると、コイルばね１９は自己の弾性によって直線姿勢に戻るので、ドア１を閉じた状態においてコイルばね１９がドア１に接触緩衝するのを防止できる。屈曲緩和具８を密巻状のコイルばねで形成し、その螺旋構造を利用してケース２１のねじ穴２７にねじ込み固定すると、屈曲緩和具８とケース２１との連結構造を簡素化して、その分だけあおり止め具これ全体の製作コストを削減化できる。
【００１４】
ケース２１の内面に形成したねじ穴２７と、ホルダー５に形成したねじ穴１７とを同じ直径、同じねじピッチに設定しておき、ケース２１にねじ込んだ屈曲緩和具８の中途部を、ホルダー５のねじ穴１７にねじ込んで、ボールチャック６をホルダー５に装着固定すると、屈曲緩和具８を利用する分だけあおり止め具の構成部品点数が減り、例えば図６に示すようにケース２１に取付ねじ３６を設ける場合に比べて、あおり止め具の製造コストを削減できる。屈曲緩和具８をホルダー５にねじ込んだのち、ケース２１を増締めすることにより、ロックナットで屈曲緩和具８を固定したのと同様の効果が得られ、屈曲緩和具８をより確実に固定できる利点もある。
【００１５】
屈曲緩和具８の一側にねじ軸部３３を形成し、残るコイル部分を小さな小径部３４として形成すると、ケース２１に固定した屈曲緩和具８をホルダー５のねじ穴１７にねじ込むとき、小径部３４をねじ込む必要がなく、その分だけ屈曲緩和具８をねじ穴１７に簡単にねじ込める。小径部３４においては、ワイヤー７とコイル部分との隙間が小さくなる分だけ、ワイヤー７の折れ曲がりを効果的に規制できる。
【００１６】
ケース２１、ボール２２、ボールホルダー２３、ばね２４、およびばね受２６などでボールチャック６を構成し、ボールホルダーと一体に設けた操作軸２８がばね受２６側からケース外へ突出していると、操作軸２８をばね２４の付勢力に抗して引っ張り操作することで、ボール２２によるクランプ状態を解除して、ワイヤー７を自由に出し入れでき、ドア１の限界開量を自由に変更調整できる。因みに、操作軸がケース２１の他端側に突出している場合には、その突端に屈曲緩和具８を装着できるが、その場合には屈曲変形する屈曲緩和具８の変形応力によって、操作軸がクランプ解除方向へ押し込まれるおそれがある。こうした不確実さを避けるうえでも、操作軸２８はばね受２６側からケース外へ突出していることが好ましい。
【００１７】
ブラケット４のワイヤー挿通穴１１まわりにベルマウス状の逃げ部１２が形成されていると、ドア１の開放動作に追随して変位するとき、ワイヤー７が逃げ部１２のベルマウス形状に沿って緩やかに湾曲できるので、ドア１側でのワイヤー７の折れ曲がりをよく解消できる。ワイヤー７がワイヤー挿通穴１１の開口で擦られて傷むのを解消できる利点もある。
【発明を実施するための最良の形態】
【００１８】
（実施例１）  図１ないし図５は本発明に係るあおり止め具の第１実施例を示す。図１および図２において符号１はドア、２はドア枠、３はドア１を揺動開閉自在に支持したヒンジである。あおり止め具は、ドア１の内面上部に固定されるブラケット４と、ドア枠２の上框に固定されるホルダー５と、ホルダー５に装着されるボールチャック６と、一端がブラケット４に固定保持され、他方の自由端がボールチャック６に差し込み連結されるワイヤー７と、ボールチャック６に装着される屈曲緩和具８などで構成してある。ワイヤー７のブラケット４側の端部には、円柱状のエンド金具１０がかしめ固定されている。
【００１９】
図３においてブラケット４は平板状のプレス金具からなり、板面の上寄りにビス穴を形成し、下寄り中央にワイヤ挿通穴１１を開口してなる。使用時に、ワイヤー７がワイヤ挿通穴１１の開口縁に擦れて傷むおそれがある。こうしたワイヤー７の傷みを一掃するために、ワイヤ挿通穴１１まわりには、ベルマウス状の逃げ部１２が膨出形成されている。なお、ワイヤー７は、逃げ部１２の膨出端の側からワイヤ挿通穴１１に挿通する。
【００２０】
図３および図４においてホルダー５は、締結座１５の一端から支持腕１６を直交状に折り曲げ形成したＬ字状のプレス金具からなり、支持腕１６にボールチャック６を装着するためのねじ穴１７を形成してある。締結座１５をドア枠２の上框にあてがってビスで締結することにより、ホルダー５は支持腕１６が垂直になる姿勢で固定される。
【００２１】
ボールチャック６は、内面にテーパー壁２０が形成されたケース２１と、ケース２１内に挿嵌されて３個のスチール製のボール２２を保持するボールホルダー２３と、ボールホルダー２３をテーパー壁２０に向かって押し付け付勢する圧縮コイル形のばね２４と、ケース内面のねじ穴２５にねじ込み装着されるばね受２６とを含む。テーパー壁２０の小径端に隣接するケース内面には、屈曲緩和具８をねじ込むためのねじ穴２７を形成してある。
【００２２】
ケース２１に形成したねじ穴２７と、支持腕１６に形成したねじ穴１７とは、同じ直径、同じねじピッチに設定する。ボールホルダー２３には、ボール２２をクランプ解除するための操作軸２８を一体に設けてある。操作軸２８は、ばね受２６側からケース外へ突出しており、その突端寄りに摘み２９を形成してある。
【００２３】
常態において、３個のボール２２はテーパー壁２０に押されてボールホルダー２３の中心へ移動し、図４に示すようにボールホルダー２３の中心の挿通孔３０に差し込んだワイヤー７をクランプ固定する。この状態で、ケース２１の端部から突出する操作軸２８を、ばね２４の付勢力に抗して引っ張り操作すると、ボール２２によるクランプ状態が解除されてワイヤー７を自由に出し入れできる。
【００２４】
屈曲緩和具８は、密巻状のコイルばねからなり、図３に示すように、コイル部の一側に、ケース２１に形成したねじ穴２７と、ホルダー５に形成したねじ穴１７にねじ込まれるねじ軸部３３とが形成されており、残りの小径部３４の巻き径をねじ軸部３３の巻き径より小さく、具体的にはねじ穴１７・２７の内径寸法より小さく設定した。ねじ軸部３３における素線の隣接ピッチは、先のねじ穴１７・２７のねじピッチに一致している。
【００２５】
図４に示すように、ねじ軸部３３をケース２１のねじ穴２７にねじ込むことにより、屈曲緩和具８をケースと一体化でき、さらにケース２１から突出するねじ軸部３３をホルダー５のねじ穴１７にねじ込むことにより、ボールチャック６をホルダー５に固定できる。このとき、小径部３４は単にねじ穴１７に差し込むだけで挿通でき、ねじ軸部３３のみをねじ込めばよいので、ボールチャック６の取り付け作業が簡便に行える。小径部３４はワイヤー７に対して密着状に外嵌するので、ワイヤー７が急な角度で折れ曲がるのを効果的に防止する。
【００２６】
上記のように、ブラケット４と対向する側のボールチャック５のケース２１端に、ワイヤー７の折れ曲がりを緩和する屈曲緩和具８が配置されていると、図１および図５に示すように、ドア１を開放した状態において、屈曲緩和具８がたわみ変形してワイヤー７の屈曲に反発するので、ワイヤー７がく字状に折れ曲がるのを解消できる。ドア１が急開放するとき屈曲緩和具８が屈曲変形して衝撃を吸収するので、ワイヤー７およびボールチャック６に過大な外力が作用するのを解消できる。ブラケット４で支持したエンド金具１０は、ドア１の開放動作に追随してワイヤー７の緊張方向へ回動するが、このときのワイヤー７は逃げ部１２のベルマウス形状に沿って緩やかに湾曲するので、ドア１側でのワイヤー７の折れ曲がりも解消できる。
【００２７】
（実施例２）  図６は本発明に係るあおり止め具の実施例２を示す。そこでは、ケース２１の外面に取付ねじ３６を形成し、取付ねじ３６をホルダー５のねじ穴１７にねじ込むことにより、ボールチャック６をホルダー５に固定できる。このように、ケース２１を支持腕１６に直接締結すると、ボールチャック６を支持腕１６により強固に固定できるし、屈曲緩和具８のねじ軸部３３の長さを短くすることができる。他は実施例１と同じであるので、同じ部材には同じ符号を付してその説明を省略する。実施例３においても同様に扱う。
【００２８】
（実施例３）  図７は本発明に係るあおり止め具の実施例３を示す。そこでは、ケース２１に取付ねじ３６を形成し、さらに取付ねじ３６より小径のねじ軸３７を設けて、屈曲緩和具８のねじ軸部３３をねじ軸３７にねじ込んでロックナット３８で固定した。このように、屈曲緩和具８は、ケース２１に外嵌状にねじ込み装着することができる。
【００２９】
上記の実施例以外に、屈曲緩和具８としてはフレキシブルパイプを適用できる。エンド金具１０は球状に形成することができる。ブラケット４は、エンド金具１０を回動可能に支持できる構造であればよく、その構造は実施例で説明した構造には限定されない。ワイヤー７のドア１側の一端は、ドア１に固定されていればよい。例えば、ワイヤー７の先端を環状に形成し、直接ビス等により取り付けることができる。ブラケット４およびホルダー５はそれぞれプレス金具である必要はない。ブラケット４をドア枠２側に設け、ホルダー５をドア１側に設けることができる。屈曲緩和具８は密巻したコイルばねで形成するのが好ましいが、コイル素線間に僅かな隙間があっても実用上は問題なく使用できる。ばね受２６はケース２１に対して圧入固定することができ、必ずしもねじ込み固定する必要はない。
【図面の簡単な説明】
【００３０】
【図１】あおり止め具の使用状態を示す斜視図である。
【図２】あおり止め具の使用状態を示す一部破断正面図である。
【図３】あおり止め具の構成部品を分解した状態で示す正面図と斜視図である。
【図４】ボールチャックおよび屈曲緩和具の縦断正面図である。
【図５】使用状態におけるあおり止め具の動作を示す一部破断平面図である。
【図６】実施例２のボールチャックおよび屈曲緩和具の縦断正面図である。
【図７】実施例３のボールチャックおよび屈曲緩和具の縦断正面図である。
【符号の説明】
【００３１】
１  ドア
２  ドア枠
４  ブラケット
５  ホルダー
６  ボールチャック
７  ワイヤー
８  屈曲緩和具
１０  エンド金具
１１  ワイヤー挿通穴
１２  逃げ部
１７  ねじ穴
２０  テーパー壁
２１  ケース
２２  ボール
２３  ボールホルダー
２４  ばね
２６  ばね受
２７  ねじ穴
２８  操作軸
３３  ねじ軸部
３４  小径部
【図１】
2005344385.tif 000003
【図２】
2005344385.tif 000004
【図３】
2005344385.tif 000005
【図４】
2005344385.tif 000006
【図５】
2005344385.tif 000007
【図６】
2005344385.tif 000008
【図７】
2005344385.tif 000009